(57)【要約】【課題】塗布部をしごき弁でしごくだけの操作で、多量の化粧料を決まった量だけ塗布部に付着させ得る化粧料塗布装置を提供すること。【解決手段】塗布部２１は、最広幅部２１Ｅを有し、かつ最広幅部２１Ｅから先端域２１０に向けて漸次狭幅となっている。塗布部２１は、先端域２１０における最大厚み部２１０Ａでの厚みが、最広幅部２１Ｅの厚みと同等であるか、又はそれよりも小さくなっている。塗布部２１は、先端域２１０と最広幅部２１Ｅとの間に薄肉域２１Ｆを有する。最広幅部の幅Ｐに対する、先端域２１０における最大厚み部２１０Ａでの幅Ｑの比率Ｑ／Ｐが０．１以上０．６以下である。最広幅部２１Ｅの幅Ｐは、支持軸２２の幅Ｌよりも広くなっている。塗布部２１は、最広幅部２１Ｅから、塗布部２１と支持軸２２との連結部に向けて幅が漸次狭くなっている。【選択図】図３
2015208636.tif 000002
【特許請求の範囲】
【請求項１】
化粧料を口唇に塗布するための化粧料塗布用具と、該化粧料を収容するための容器とを備え、該塗布用具が該容器の口部から該容器内に出入自在な口唇化粧料塗布装置であって、
前記塗布用具は、化粧料を塗布するための塗布面及び該塗布面の反対側に位置する背面を有し、かつ扁平体からなる塗布部と、先端に該塗布部を連結した支持軸とを有しており、
前記塗布部を正面視したとき、前記塗布部は、最広幅部を有し、かつ該最広幅部から先端域に向けて漸次狭幅となっており、
前記塗布部は、前記先端域における最大厚み部での厚みが、前記最広幅部の厚みと同等であるか、又はそれよりも小さくなっており、
前記塗布部は、前記先端域と前記最広幅部との間に、該先端域の最大厚み部の厚みよりも小さい薄肉域を有し、
前記最広幅部の幅Ｐに対する、前記先端域における最大厚み部での幅Ｑの比率Ｑ／Ｐが０．１以上０．６以下であり、
前記最広幅部の幅Ｐは、前記支持軸の幅Ｌよりも広くなっており、
前記塗布部は、前記最広幅部から、前記塗布部と前記支持軸との連結部に向けて幅が漸次狭くなっている、口唇化粧料塗布装置。
【請求項２】
前記先端域は、前記塗布面又は前記背面の少なくとも一方の面から突出した突出部を有し、該突出部の頂部に前記最大厚み部が位置している請求項１に記載の口唇化粧料塗布装置。
【請求項３】
前記先端域が、前記背面側において突出して前記突出部を有する請求項２に記載の口唇化粧料塗布装置。
【請求項４】
前記塗布部の幅方向縦断面視における前記先端域の形状が、角が丸みを帯びた三角形である請求項３に記載の口唇化粧料塗布装置。
【請求項５】
前記塗布部を正面視したとき、前記塗布面には、前記突出部に対応する位置に、小窪み部が形成されている請求項３又は４に記載の口唇化粧料塗布装置。
【請求項６】
前記薄肉域において、前記塗布面が、前記塗布部の長手方向に沿って前記背面に向けて凹状に湾曲しており、前記背面が、前記塗布部の長手方向に沿って前記塗布面に向けて凹状に湾曲している請求項１ないし５のいずれか一項に記載の口唇化粧料塗布装置。
【請求項７】
前記塗布面が平坦面となっている請求項１ないし５のいずれか一項に記載の口唇化粧料塗布装置。
【請求項８】
前記塗布面は、前記塗布部の長手方向に沿って凹状に湾曲しているとともに幅方向に沿って凹状に湾曲しており、それによって該塗布面の中央部に窪み部が形成されている請求項１ないし５のいずれか一項に記載の口唇化粧料塗布装置。
【請求項９】
前記最広幅部から前記塗布部の先端までの距離をＳとし、前記先端域における最大厚み部から前記塗布部の先端までの距離をＲとしたとき、距離Ｓに対する距離Ｒの比率Ｒ／Ｓが０．０３以上０．４以下である請求項１ないし８のいずれか一項に記載の口唇化粧料塗布装置。
【請求項１０】
前記支持軸の幅Ｌに対する、前記先端域における最大厚み部での幅Ｑの比率Ｑ／Ｌが０．３以上２以下である請求項１ないし９のいずれか一項に記載の口唇化粧料塗布装置。
【請求項１１】
前記塗布用具が前記容器内に挿入された状態において、前記塗布部の塗布面が該容器の底部方向を向くように、該塗布部が該支持軸の軸方向に対して傾斜している請求項１ないし１０のいずれか一項に記載の口唇化粧料塗布装置。
【請求項１２】
前記塗布部は、その表面に植毛処理が施されている請求項１ないし１１のいずれか一項に記載の口唇化粧料塗布装置。
【請求項１３】
前記容器は、その口部又はその近傍にしごき弁を備えており、該しごき弁の略中央部には、前記塗布部及び前記支持軸の通過が自在なしごき孔が形成されており、前記最広幅部の幅Ｐが、前記しごき孔の直径ｍよりも大きくなされている請求項１ないし１２のいずれか一項に記載の口唇化粧料塗布装置。
【請求項１４】
前記しごき孔の直径ｍに対する、前記先端域における最大厚み部での幅Ｑの比率Ｑ／ｍが０．２以上１．５以下である請求項１３に記載の口唇化粧料塗布装置。
【請求項１５】
前記しごき弁に、前記しごき孔に通じる複数のスリットが放射状に形成されている請求項１３又は１４に記載の口唇化粧料塗布装置。
【発明の詳細な説明】
【技術分野】
【０００１】
本発明は、口紅及びリップグロス等の口唇化粧料を塗布するために特に好適に用いられる口唇化粧料塗布装置に関する。
【背景技術】
【０００２】
口紅やリップグロス等の口唇化粧料を塗布するための塗布具として、支持軸の先端に塗布部を備えた構造のものが一般に利用されている。塗布部においては、化粧料の保持量を多くすることで、１回の操作によって化粧料を塗布できる面積を大きくし、塗布の操作を減らすことができる。塗布の操作を減らすことは、塗布のかすれを防止して、化粧料を均一に塗布できる点から有利である。
【０００３】
化粧料の保持量を多くすることを目的として、例えば特許文献１には、軸（４）と塗布部材（６）とを有する塗布具（３）において、塗布部材（６）が、軸（４）に連結する基部（１０）と、突起部（１５）を有する先端部（２０）と、基部（１０）及び先端部（２０）との間に位置し、かつ厚みよりも幅の方が大きい中間部（３０）とを有するものが提案されている。
【０００４】
同様の目的で、特許文献２には、化粧料塗布体の塗布部における塗布面が、平面状である平面部と、該平面部に連続し、全面又はその一部を湾曲面とする凹陥部とを有することが記載されている。
【先行技術文献】
【特許文献】
【０００５】
【特許文献１】国際公開第２０１２／１１７３２２号パンフレット
【特許文献２】特開２０１４−４５８７６号公報
【発明の概要】
【発明が解決しようとする課題】
【０００６】
しかし、特許文献１及び２に記載の技術では、塗布部が容器本体のしごき部を通過するときに生じる抵抗が大きくなる傾向にあり、塗布部の広い領域に亘って、化粧料を行きわたらせることができず、化粧料が偏在してしまうことがある。また、特許文献１及び２に記載の技術では、塗布部が外力に対して容易に変形可能な柔軟性を有しているとは言えないので、化粧料の塗布対象部位に塗布部が接触したときに、塗布対象部位への塗布部の密着性が十分でない場合がある。その結果、化粧料が唇にまだらに塗布されてしまうことがある。
【０００７】
したがって本発明の課題は、前述した従来技術が有する欠点を解消し得る口唇化粧料塗布装置を提供することにある。
【課題を解決するための手段】
【０００８】
本発明は、化粧料を口唇に塗布するための化粧料塗布用具と、該化粧料を収容するための容器とを備え、該塗布用具が該容器の口部から該容器内に出入自在な口唇化粧料塗布装置であって、
前記塗布用具は、化粧料を塗布するための塗布面及び該塗布面の反対側に位置する背面を有し、かつ扁平体からなる塗布部と、先端に該塗布部を連結した支持軸とを有しており、
前記塗布部を正面視したとき、前記塗布部は、最広幅部を有し、かつ該最広幅部から先端域に向けて漸次狭幅となっており、
前記塗布部は、前記先端域における最大厚み部での厚みが、前記最広幅部の厚みと同等であるか、又はそれよりも小さくなっており、
前記塗布部は、前記先端域と前記最広幅部との間に、該先端域の最大厚み部の厚みよりも小さい薄肉域を有し、
前記最広幅部の幅Ｐに対する、前記先端域における最大厚み部での幅Ｑの比率Ｑ／Ｐが０．１以上０．６以下であり、
前記最広幅部の幅Ｐは、前記支持軸の幅Ｌよりも広くなっており、
前記塗布部は、前記最広幅部から、前記塗布部と前記支持軸との連結部に向けて幅が漸次狭くなっている、口唇化粧料塗布装置を提供するものである。
【発明の効果】
【０００９】
本発明によれば、塗布部をしごき弁でしごくだけの簡単な操作で、多量の化粧料を決まった量だけ塗布部に付着保持させることができる。しかも、塗布部の広い領域に亘って、化粧料を行きわたらせ、唇に適量を塗布させることができる。また、化粧料を塗布対象部位に塗布するときに、塗布部がしなやかに変形しやすく塗布対象部位に密着するので、化粧料が唇にまだらに塗布されることが効果的に防止され、化粧料の均一な塗布を行うことができる。また、適正な量の化粧料が塗布部に付着することによって、余剰の化粧料に起因する垂れが効果的に防止される。
【図面の簡単な説明】
【００１０】
【図１】図１（ａ）は、本発明の化粧料塗布具の一実施形態を示す一部破断正面図であり、図１（ｂ）は図１（ａ）におけるしごき弁の要部拡大図である。
【図２】図２は、図１（ａ）に示す化粧料塗布具における塗布部を拡大して示す斜視図である。
【図３】図３（ａ）は図１（ａ）に示す化粧料塗布具における塗布部の正面図であり、図３（ｂ）は図１（ａ）に示す化粧料塗布具における塗布部の側面図であり、図３（ｃ）は図３（ｂ）におけるｃ−ｃ線断面図であり、図３（ｄ）は図３（ｂ）におけるｄ−ｄ線断面図であり、図３（ｅ）は図３（ｂ）におけるｅ−ｅ線断面図である。
【図４】図４は、塗布部がしごき孔を通過するときに化粧料が移動する様子を示す図である。
【図５】図５（ａ）は、塗布部の別の実施形態を示す正面図であり、図５（ｂ）は、図５（ａ）の側面図である。
【図６】図６（ａ）は、塗布部の別の実施形態を示す側面図であり、図６（ｂ）は、先端域の断面図（図３（ｃ）相当図）である。
【図７】図７（ａ）は、塗布部の別の実施形態を示す側面図であり、図７（ｂ）は、図７（ａ）の斜視図である。
【図８】図８（ａ）は、塗布部の別の実施形態を示す側面図であり、図８（ｂ）は、図８（ａ）の斜視図である。
【図９】図９は、塗布部の別の実施形態を示す側面図である。
【図１０】図１０（ａ）は、塗布部の別の実施形態を示す側面図であり、図１０（ｂ）は、図１０（ａ）の斜視図である。
【発明を実施するための形態】
【００１１】
以下、本発明の口唇化粧料塗布装置を、その好ましい実施形態に基づき図面を参照しながら説明する。以下に図示する各実施形態の口唇化粧料塗布装置は、本発明の好ましい形態の一例を示すものであって、本発明の範囲はこの図面に限定されるものではない。図１（ａ）には、本発明の口唇化粧料塗布装置の第１実施形態の正面図が、一部破断した状態で示されている。同図に示す実施形態の口唇化粧料塗布装置１は、化粧料４を塗布するための塗布用具２と、化粧料４を収容するための容器３とを備えている。以下、塗布用具２及び容器３についてそれぞれ説明する。
【００１２】
まず、容器３について説明すると、容器３は有底の細長い円筒状のものである。容器３はその内部に液状化粧料４を収容できるようになっている。容器３は、その底部と対向して口部３３を有する。口部３３は上方に向けて開口している。口部３３の外周面にはネジ部３２が設けられている。このネジ部３２は、後述する塗布用具２の蓋体２３の内周面に設けられたネジ部（図示せず）と螺合可能になっている。
【００１３】
容器３における口部３３はその近傍にしごき弁３１を有している。しごき弁３１は、容器３の口部３３から底部に向けて縮径した漏斗状の形状をしており、その下端の位置にしごき孔３１Ａを有している。しごき孔３１Ａは、後述する塗布用具２における塗布部２１及び支持軸２２の通過が自在になっている。しごき孔３１Ａは、容器３の横断面視において、しごき弁３１の略中央部に形成されている。またしごき孔３１Ａは一般的には円孔となっている。しかし、しごき孔３１Ａの形状はこれに限られない。しごき弁３１には、容器３の横断面視において、しごき孔３１Ａに通じる複数のスリット（図示せず）が放射状に形成されていてもよい。しごき孔３１Ａは、塗布用具２の先端に位置する塗布部２１を容器３内に挿入し、また容器３内から抜き出すことが可能な大きさを有している。しごき弁３１は、塗布用具２の塗布部２１や支持軸２２に付着した過剰量の化粧料４を適度にしごき取るために用いられる。この目的のために、しごき弁３１を、ゴム等の弾性変形可能な材料から構成することができる。なお図１（ａ）においては、しごき弁３１は、口部３３から若干離れた下方寄りに位置しているが、これに代えて、口部３３の位置にしごき弁３１を配置してもよい。容器本体３の口部３３の近傍部分には、口部３３から若干離れた箇所から口部３３までの部分が含まれる。
【００１４】
容器３に収容される化粧料４としては、使用環境下において流動性を有する口唇化粧料が用いられる。そのような化粧料は、当該技術分野においてよく知られたものである。その例としては、各種口紅、又はリップグロスやリップカラー等と称される仕上げ用の艶出し化粧料等が挙げられる。
【００１５】
容器３と組み合わせて用いられる塗布用具２は、塗布部２１と支持軸２２とを有している。これらの部材は、容器３の口部３３から該容器３内に出入自在となっている。塗布部２１は化粧料４を口唇に塗布するために用いられる。支持軸２２は、その先端において塗布部２１と連結している。塗布部２１と支持軸２２とは同一材料から一体的に構成されていてもよく、あるいは予め製造された２つの部材を所定の手段によって結合させて構成されていてもよい。
【００１６】
塗布部２１と支持軸２２を別々に製造して結合させる場合、両者を嵌合させて結合することが好ましい。結合の方法としては、ポンチ打ちなどで塗布部２１又は支持軸２２を塑性変形させて固定する方法が挙げられる。また、接着剤による接着など公知の技術を適宜採用してもよい。
【００１７】
塗布用具２は、更に蓋体２３を有している。蓋体２３は、支持軸２２の後端と連結している。蓋体２３は、上述のとおり、その内周面にネジ部（図示せず）を有している。このネジ部は、上述した容器３のネジ部３２と螺合可能になっている。蓋体２３が容器３のネジ部３２と螺合した状態においては、塗布装置１は略円柱状の形状となる。この状態においては、塗布部２１は容器３の底部よりも若干上方に位置している。
【００１８】
図２には塗布部２１の拡大図が示されている。なお、図１（ａ）と図２では、塗布部２１の上下関係が逆転している。図２に示すように、塗布部２１は支持軸２２よりも幅広な扁平体からなる。塗布部２１は、支持軸の延びる方向に長手方向Ｘを有し、長手方向Ｘと直交する方向に幅方向Ｙを有する縦長の形状である。
【００１９】
縦長の扁平形状からなる塗布部２１は、対向する一対の主面である第１の面２１Ａ及び第２の面２１Ｂを有する。第１の面２１Ａは塗布部２１における塗布面であり、第２の面２１Ｂは第１の面２１Ａに対して背面となる。また塗布部２１は、支持軸２２に対して所定の角度をもって傾斜している。詳細には、塗布部２１は、塗布用具２が容器３内に挿入された状態において、第１の面２１Ａが容器３の底部方向を向くように、支持軸２２の軸方向に対して傾斜している。塗布部２１と支持軸２２とがこのような傾斜関係で結合していることによって、塗布用具２を用いた化粧料４の塗布を容易に行うことができる。
【００２０】
塗布部２１は、その表面に植毛処理を施すことができる。植毛処理に用いられる繊維は、長さが０．１〜３ｍｍで、太さが０．５〜５ｄｔｅｘのものが好ましい。長さ及び太さがこの範囲のなかで、異なる２種以上の繊維を組み合わせて用いることも可能である。繊維の材質は、塗布時に求められる感触に応じ、適切なものが選択される。一般にはポリアミド樹脂を用いることで、好ましいソフトな感触を得ることができる。塗布部の表面に植毛処理を施すためには、静電植毛法等の公知の技術を適宜採用すればよい。
【００２１】
図３（ａ）ないし（ｅ）には、図２に示す塗布部２１の正面図、側面図及び横断面図が示されている。塗布部２１が植毛処理されている場合、該塗布部２１は、植毛処理される前の状態での露出面の全域が先端を除き曲面のみで形成されていることが好ましい。換言すれば、植毛処理される前の状態での塗布部２１は、先端を除き、角部を全く有していない滑らかなものであることが好ましい。
【００２２】
更に、塗布部２１が植毛処理されている場合、該塗布部２１は、植毛処理される前の状態での露出面の全域が平滑になっていることが好ましい。換言すれば、植毛処理される前の状態での塗布部２１は、皺状、シボ状、梨地状等を始めとする各種の微細な凹凸を、その露出面の全域において全く有していないことが好ましい。要するに、植毛処理される前の状態での塗布部２１は「滑らか」で「つるつる」したものであることが好ましい。塗布部２１がこのような特異な形状を有していることによって、本実施形態の塗布部具１を用いて化粧料を口唇等に塗る場合、先に塗られている化粧料を拭い取ったり削り取ったりすることなく、その上に別の化粧料を首尾良く塗り重ねることができる。また、使用後においては、塗布部２１に残存した化粧料を容易に除去することができるので、容器３内に塗布部２１を挿入した場合に、容器３内に収容されている化粧料の着色や変色を効果的に防止することができる。
【００２３】
植毛処理される前の状態での塗布部２１露出面の全域が先端を除き曲面のみで形成され、かつ平滑になっていることと、植毛処理を施すこととの相乗効果によって、化粧料の塗布時に塗布部２１に保持可能な化粧料の量を多くすることができる。その結果、化粧料の塗布回数を減らすことが可能となる。また植毛処理された塗布部の別の利点として、化粧料の塗布時にソフトな感覚を付与することができるという利点も挙げられる。
【００２４】
図３（ｂ）に示すとおり、塗布部２１は、その側面視において、第１の面２１Ａが、長手方向Ｘに沿って、第２の面２１Ｂに向けて滑らかな曲線を描くように緩やかに湾曲している。また塗布部２１は、その側面視において、第２の面２１Ｂが、長手方向Ｘに沿って、第１の面２１Ａに向けて滑らかな曲線を描くように緩やかに湾曲している。そして第１の面２１Ａ及び第２の面２１Ｂはいずれも、図３（ｃ）ないし（ｅ）に示すとおり、塗布部２１の先端から最広幅部２１Ｅまでの長手方向Ｘのいずれの位置においても、幅方向Ｙに沿った断面が直線になっている。
【００２５】
図２及び図３に示すとおり、塗布部２１は、これを正面視したときに、最広幅部２１Ｅを有している。正面視とは、塗布部２１の塗布面である第１の面２１Ａの投影面積が最大となる方向から該塗布部２１を見ることを言う。最広幅部２１Ｅは、塗布部２１をその長手方向Ｘに沿って見たとき、２点以上であっても良いが、１点であることが好ましい。また、最広幅部２１Ｅは、塗布部２１をその長手方向Ｘに沿って見たとき、或る程度の長さにわたって存在しても良いが、１〜３ｍｍ程度の長さであっても良い。図３（ｅ）に示すとおり、最広幅部２１Ｅの厚みは、幅方向Ｙに沿って一定になっている。厚みとは、塗布部２１の長手方向Ｘを含む面であって、塗布部２１の塗布面である第１の面２１Ａの投影面積が最大となる方向から該塗布部２１を見た面に対して直交する面内における塗布部２１の長さのことである。幅方向Ｙに沿う最広幅部２１Ｅの厚みが一定でない場合には、最大厚みのことを、最広幅部２１Ｅの厚みとみなす。
【００２６】
塗布部２１は、最広幅部２１Ｅから支持軸２２との連結部２４に向けて漸次幅が狭くなっている。ここで言う幅とは、図３（ａ）中、すなわち正面視において、幅方向Ｙに沿った長さのことである。連結部２４においては、塗布部２１の幅と支持軸２２の幅Ｌ（すなわち直径）とが略一致している。したがって最広幅部２１Ｅの幅Ｐは、支持軸２２の幅Ｌよりも広くなっている。また最広幅部２１Ｅは、塗布部２１の先端２１Ｄから距離を隔てた離れた位置にある。更に最広幅部２１Ｅは、塗布部２１と支持軸２２との連結部２４からも距離を隔てた離れた位置にある。最広幅部２１Ｅから先端２１Ｄに向けて、塗布部２１は漸次幅が狭くなっている。先端２１Ｄは略尖鋭になっていることが好ましい。先端２１Ｄを尖鋭にすることで、塗布の細かな操作を容易に行うことができる。例えば口角における塗布を容易に行うことができる。このように塗布部２１は、先端２１Ｄから最広幅部２１Ｅにかけては幅が漸次広くなっており、最広幅部２１Ｅから連結部２４にかけては幅が漸次狭くなっている。
【００２７】
図３（ａ）ないし（ｅ）に示すとおり、塗布部２１は、先端域２１０と最広幅部２１Ｅとの間に薄肉域２１Ｆを有している。先端域２１０は、最広幅部２１Ｅよりも先端２１Ｄ側に位置し、かつ先端２１Ｄの部分を含む部位である。また、先端域２１０と最広幅部２１Ｅとの間に薄肉域２１Ｆが存在しているとは、最広幅部２１Ｅが２点以上である場合や、或る程度の長さにわたって存在している場合には、最広幅部２１Ｅのうち、最も先端域２１０寄りに位置する部分を基準として、当該部分と先端域２１０との間に薄肉域２１Ｆが存在していることを言う。
【００２８】
先端域２１０は最大厚み部２１０Ａを有していることが好ましい。最大厚み部２１０Ａは、塗布面である第１の面２１Ａ又は背面である第２の面２１Ｂの少なくとも一方の面から突出した突出部２１１を有し、該突出部２１１の頂部に位置していることが好ましい。例えば図３（ａ）ないし（ｅ）に示す実施形態では、第１の面２１Ａ及び第２の面２１Ｂの双方の面からそれぞれ突出した突出部２１１が形成されており、２つの突出部２１１の頂部を結んだ位置に最大厚み部２１０Ａが位置している。第１の面２１Ａ側における突出の程度と、第２の面２１Ｂ側における突出の程度は同じでもよく、あるいは異なっていてもよい。
【００２９】
先端域２１０は、塗布部２１の先端２１Ｄから最広幅部２１Ｅの方向へ向けて、厚みが漸次増加していき、前記の最大厚み部２１０Ａとなる。更に先端域２１０は、最大厚み部２１０Ａの位置から最広幅部２１Ｅの方向へ向けて、厚みが漸次減少していく。そして、先端域２１０と薄肉域２１Ｆとは、両者の連接部において厚みに段差なく、滑らかに連なっている。図３（ｃ）に示すとおり、先端域２１０の厚みは、幅方向Ｙに沿って一定になっている。
【００３０】
先端域２１０と最広幅部２１Ｅとの間に位置する薄肉域２１Ｆは、先端域２１０の最大厚み部２１０Ａの厚みよりも小さい部位である。図３（ｄ）に示すとおり、その厚みが、幅方向Ｙに沿って一定になっている。一方、薄肉域２１Ｆを長手方向Ｘに沿って見た場合、該薄肉域２１Ｆは厚みが一定になっているか、又は長手方向Ｘに沿って厚みが漸次変化している。例えば図３（ｂ）に示す実施形態では、薄肉域２１Ｆは、その側面視において最薄肉部を有している。そして最薄肉部から先端域２１０に向けて厚みが漸次増加している。また最薄肉部から最幅広部２１Ｅに向けても厚みが漸次増加している。具体的には、薄肉域２１Ｆにおいては、塗布面である第１の面２１Ａが、塗布部２１の長手方向Ｘに沿って第２の面２１Ｂに向けて凹状に湾曲しているとともに、背面である第２の面２１Ｂが、塗布部２１の長手方向Ｘに沿って第１の面に向けて凹状に湾曲している。その結果、薄肉域２１Ｆの中で、場所によって厚みが異なる場合には、最も厚みが小さい位置での当該厚み、すなわち最薄肉部の厚みを以て、薄肉域２１Ｆの厚みとみなす。
【００３１】
最薄肉部は、塗布部２１をその長手方向Ｘに沿って見たとき、図３（ｂ）に示すとおり、一点であることが好ましいが、２点以上であっても良いし、或る程度の長さにわたって存在しても良い。
【００３２】
先端域２１０の最大厚み部２１０Ａでの厚みと最広幅部２１Ｅの厚みとの大小関係に関しては、両者は同等であるか、又は先端域２１０の最大厚み部２１０Ａでの厚みが、最広幅部２１Ｅの厚みよりも小さいことが好ましい。そして、薄肉域２１Ｆは、上述のとおり、先端域２１０の最大厚み部２１０Ａの厚みよりも小さい部位である。したがって、薄肉域２１Ｆは、その厚みが先端域２１０の最大厚み部２１０Ａでの厚み及び最広幅部２１Ｅの厚みの双方よりも小さくなっている。
【００３３】
以上は、先端域２１０と最広幅部２１Ｅとの厚みの比較であったところ、これらの部位の幅に関しては、最広幅部２１Ｅの幅をＰとし、先端域２１０における最大厚み部２１０Ａでの幅をＱとしたとき、Ｐに対するＱの比率であるＱ／Ｐの値が、しごき時の化粧料を決まった量だけ塗布部に付着保持させる点、塗布部の広い領域に亘って、化粧料を行きわたらせ、唇に適量を塗布させる点、また、化粧料を塗布対象部位に塗布するときに、塗布部がしなやかに変形しやすく塗布対象部位に密着させる点、化粧料が唇にまだらに塗布されることが効果的に防止する点から、０．１以上であり、０．２以上であることが好ましく、０．３以上であることがより好ましい。また、Ｑ／Ｐの値は０．６以下であり、０．５以下であることが好ましく、０．４以下であることがより好ましい。例えばＱ／Ｐの値は０．１以上０．６以下であり、０．２以上０．５以下であることが好ましく、０．３以上０．４以下であることがより好ましい。なお、先端域２１０における最大厚み部２１０Ａが２点以上存在するか、又は長手方向Ｘに沿って或る程度の長さにわたって存在することに起因して、最大厚み部での幅Ｑが２以上の値をとる場合には、最も先端寄りに位置する最大厚み部２１０Ａでの幅を以て、最大厚み部２１０Ａでの幅Ｑとみなす。
【００３４】
以上の構成を有する本実施形態の塗布装置１によれば、容器３から塗布用具２を引き抜くときに、塗布用具２の塗布部２１を、容器３のしごき弁でしごくだけの簡単な操作で、多量の化粧料を決まった量だけ塗布部２１に保持させることができる。
【００３５】
また、塗布部２１は、先端域２１０における最大厚み部２１０Ａでの厚みが、最広幅部２１Ｅの厚みと同等であるか又はそれよりも小さくなっており、かつ、塗布部２１は、先端域２１０と最広幅部２１Ｅとの間に、該先端域２１０及び該最広幅部２１Ｅそれぞれの厚みよりも小さい薄肉域２１Ｆを有しているので、化粧料を口唇に塗布するために塗布部２１を塗布対象部位である口唇に押し当てるときに、塗布部２１がしなやかに変形して口唇に密着するので、化粧料がまだらに塗布されることが効果的に防止され、化粧料の均一な塗布を行うことができる。
【００３６】
薄肉域２１Ｆの厚みは、先端域２１０の最大厚み部の厚みに対して、しごき時の化粧料を決まった量だけ塗布部に付着保持させる点、塗布部の広い領域に亘って、化粧料を行きわたらせ、唇に適量を塗布させる点、また、化粧料を塗布対象部位に塗布するときに、塗布部がしなやかに変形しやすく塗布対象部位に密着させる点、化粧料が唇にまだらに塗布されることが効果的に防止する点から、２０％以上９０％以下であることが好ましく、３０％以上７５％以下であることがより好ましく、４０％以上６５％以下であることが更に好ましい。同様の観点から、最広幅部２１Ｅの幅Ｐの値は、上述したしごき弁３１に設けられたしごき孔３１Ａの直径ｍ（図１（ｂ）参照）よりも大きくなされていることが好ましい。特に、Ｐ／ｍの値が１以上３以下であることが好ましく、１．２以上２．５以下であることがより好ましく、１．４以上２以下であることが更に好ましい。なお、しごき孔３１Ａの直径ｍとは、該しごき孔３１Ａが円である場合には、該円の直径のことであり、しごき孔３１Ａが円でない場合には、該しごき孔３１Ａを横切る最大長さの値を以て直径とみなす。
【００３７】
また、塗布部２１は最広幅部２１Ｅから先端域２１０に向けて漸次狭幅となっているので、口角等の細かな部位における化粧料の塗り易さを損なうことなく、口唇の輪郭をきれいにつくることができる。特に、最広幅部２１Ｅの幅Ｐに対する、先端域２１０における最大厚み部での幅Ｑの比率Ｑ／Ｐを、上述した範囲に設定することで、容器３から塗布用具２を引き抜くとき、及び容器３内に塗布用具２を挿入するときの抵抗が低減され、塗布部２１がしごき弁３１によって過度な損傷を受けることが効果的に防止されるとともに、幅広で扁平な形状を有する塗布部２１に付着した余剰の化粧料を効果的にしごき取ることができる。その結果、塗布部２１における化粧料の液切れが良好になる。更に、塗布部２１への化粧料の付着量が適正となり、塗布部全体に化粧料が厚く付着することが効果的に抑制される。その結果、唇に塗布する際に、塗布部の広い領域に亘って、化粧料を行きわたらせ、唇に適量を塗布させる点から、しごき孔３１Ａの直径ｍに対する、先端域２１０における最大厚み部での幅Ｑの比率であるＱ／ｍを０．２以上１．５以下に設定することが好ましく、０．３以上１．２以下に設定することがより好ましく、０．４以上０．９以下に設定することが更に好ましい。
【００３８】
容器３から塗布用具２を引き抜くとき、及び容器３内に塗布用具２を挿入するときの抵抗の低減は、最広幅部２１Ｅの幅Ｐと、支持軸２２の幅Ｌとの比率を調整することによって一層効果的なものとなる。具体的には、支持軸２２の幅Ｌ対する最広幅部２１Ｅの幅Ｐの比率であるＰ／Ｌの値は、１以上３．５以下であることが好ましく、１．４以上３以下であることがより好ましく、１．７以上２．４以下であることが更に好ましい。
支持軸２２の幅Ｌは、しごき時にしごき弁を通過する領域であって、その時の支持軸となる部分の最大径を言う。また、支持軸と塗布部は、材質が異なることが好ましい。
【００３９】
また、支持軸２２の幅Ｌは、先端域２１０における最大厚み部での幅Ｑとの関係で設定することも有利である。具体的には、支持軸２２の幅Ｌに対する、先端域２１０における最大厚み部２１０Ａでの幅Ｑの比率であるＱ／Ｌの値は、０．３以上２以下であることが好ましく、０．４以上１．５以下であることがより好ましく、０．５以上１以下であることが更に好ましい。Ｑ／Ｌの値をこの範囲に設定することで、塗布部の先端に付着した化粧料が、容器のしごき孔に直接あたりにくいので、液を適量保持することができ好ましい。
【００４０】
更に、塗布部２１の寸法関係に関しては、最広幅部２１Ｅから塗布部２１の先端２１Ｄまでの距離をＳとし、先端域２１０における最大厚み部から塗布部２１の先端２１Ｄまでの距離をＲとしたとき、距離Ｓに対する距離Ｒの比率であるＲ／Ｓの値を０．０３以上０．４以下に設定することが好ましく、０．０５以上０．３以下に設定することがより好ましく、０．１以上０．２以下に設定することが更に好ましい。Ｒ／Ｓの値をこの範囲に設定することで、塗布具を容器のしごき孔に容易に入れ易く、また、過剰な化粧料が塗布部の先端に液ダマになって付着するのを抑制し、塗布部の中央に適量の化粧料が溜まり易いので、塗布部から化粧液がはみ出ることなく、唇の口角に綺麗に化粧料が塗ることができる。また、液だれを効果的に防止するのに優れている。
【００４１】
次に、本実施形態の塗布装置１を用い、容器３から塗布用具２を引き抜くときに、塗布部２１へ化粧料が付着する様子を、図４を参照しながら説明する。塗布部２１が、容器３中に貯留された化粧料４内に浸っている状態（図１（ａ）に示す状態）から引き上げられると、塗布部２１の表面全体に化粧料４が保持される。
【００４２】
この状態から塗布部２１が更に引き抜かれ、塗布部２１がしごき弁３１に当接すると、しごき弁３１によって塗布部２１の引き抜きが阻害される。この場合、しごき弁３１が弾性変形可能な材料構成されていれば、しごき弁３１のしごき孔３１Ａは、塗布部２１が通過できるように変形する。しごき弁３１は、しごき孔３１Ａが変形しつつ、該しごき孔３１Ａの周囲によって、塗布部２１の表面に付着している余剰の化粧料をしごき取る。余剰の化粧料がしごき取られるのと同時に、塗布部２１の表面に付着している化粧料は、図４の矢印Ａで示す方向に向けて、最広幅部２１Ｅ及びその近傍の位置から薄肉域２１Ｆに向けて移動する。この理由は、塗布部２１が、その最広幅部２１Ｅから先端域に向けて幅が漸次減少しているからである。そして薄肉域２１Ｆは、最広幅部２１Ｅ及び先端域２１０の間の谷部となっているので、最広幅部２１Ｅ及びその近傍の位置から薄肉域２１Ｆに移動した化粧料は、薄肉域２１Ｆに多量に保持される。
【００４３】
この状態から塗布部２１の引き抜きが更に進行すると、しごき孔３１Ａの変形の程度が小さくなり、そのことに起因してしごき孔３１Ａの周縁が、塗布部２１の先端域２１０における最大厚み部に当接し易くなる。その結果、薄肉域２１Ｆに付着していた化粧料のうちの余剰分が、しごき孔３１Ａの周縁によって摺り切られ、薄肉域２１Ｆに付着する化粧料の量が一定化される。したがって、多量の化粧料を、決まった量だけ保持させることができる。
【００４４】
以上のとおり、本実施形態の塗布装置によれば、上述の有利な各効果が奏されるので、特に液体口紅や液体リップグロス等の口唇化粧料を口唇に美しい仕上がりで塗布することができる。
【００４５】
次に、本発明の第２実施形態ないし第７実施形態について、図５ないし図１０を参照しながら説明する。これらの実施形態に関し、特に説明しない点については、第１実施形態に関しての説明が適宜適用される。また図５ないし図１０において、図１ないし図４と同じ部材には同じ符号を付してある。
【００４６】
図５に示す第２実施形態は、塗布部２１が支持軸２２の軸方向に対して傾斜しておらず、塗布部２１の延びる方向と、支持軸２２の軸方向とが一致している。この点が第１実施形態と相違する以外は、第２実施形態の構成は第１実施形態と同様である。したがって本実施形態によれば、第１実施形態によって奏される効果のうち、塗布部２１が傾斜していることに起因して奏される効果以外の諸効果が奏される。
【００４７】
図６（ａ）に示す第３実施形態は、塗布部２１における第１の面２１Ａが、該塗布部２１の側面視において、長手方向Ｘに沿って平坦になっている。一方、第２の面２１Ｂは、塗布部２１の側面視において、長手方向Ｘに沿って、第１の面２１Ａに向けて滑らかな曲線を描くように緩やかに湾曲している。塗布部２１の先端域２１０は、背面である第２の面２１Ｂ側において突出して突出部２１１を有している。この突出部２１１の頂部が先端域２１０における最大厚み部２１０Ａとなる。
【００４８】
また、塗布部２１の第１の面２１Ａは、幅方向Ｙに沿った断面が、第１実施形態の図３（ｃ）ないし（ｅ）と同様に、直線になっている。そして、上述のとおり、第１の面２１Ａは、塗布部２１の側面視において、長手方向Ｘに沿って平坦になっているから、第１の面２１Ａは、長手方向Ｘ及び幅方向Ｙで画成される平面と平行な平坦面になっている。
【００４９】
更に塗布部２１の第２の面２１Ｂは、幅方向Ｙに沿った断面が、第１実施形態の図３（ｃ）ないし（ｅ）と同様に、直線になっている。そして、上述のとおり、第２の面２１Ｂは、長手方向Ｘに沿って、第１の面２１Ａに向けて湾曲しているから、第２の面２１Ｂは、長手方向Ｘに沿ってのみ曲面になっている。
【００５０】
以上の構成を有する第３実施形態によれば、塗布具を容器のしごき孔に容易に出し入れでき、また、過剰な化粧料が塗布部の先端に液ダマになって付着するのを抑制し、塗布部の中央の平坦部分に適量の化粧料が溜まり易いので、塗布部から化粧液がはみ出ることなく、唇の口角に綺麗に化粧料が塗ることができるという効果が奏される。
【００５１】
なお本実施形態においては、塗布部２１の幅方向Ｙの縦断面視における先端域２１０の形状が、図６（ｂ）に示すように、角が丸みを帯びた三角形になっていてもよい。この場合には、先端域２１０は、塗布面である第１の面２１Ａ以外に２つの平面を有することになる。これら２つの平面は、口角などの細かな部分の塗布や、一度化粧料を塗布した部位の修正に用いる場合に有利である。
【００５２】
図７に示す第４実施形態では、塗布部２１における第１の面２１Ａが、該塗布部２１の側面視において、長手方向Ｘに沿って、第２の面２１Ｂに向けて滑らかな曲線を描くように緩やかに湾曲している。また、第１の面２１Ａは、幅方向Ｙに沿った断面が、第２の面２１Ｂに向けて滑らかな曲線を描くように緩やかに湾曲している。つまり、第１の面２１Ａは、長手方向Ｘ及び幅方向Ｙのいずれに沿って見ても、第２の面２１Ｂに向けて湾曲している。その結果、第１の面２１Ａは、その中央部に、第２の面２１Ｂに向けて凹陥した窪み部２１Ｃが形成されている。窪み部２１Ｃの形成位置は、薄肉域２１Ｆの位置と概ね一致している。また、窪み部２１Ｃは、先端域２１０の少なくとも一部を含んでいるか、又は先端域２１０を含んでいない。更に窪み部２１Ｃは、最広幅部２１Ｅを含んでいるか、又は最広幅部２１Ｅを含んでいない。
【００５３】
一方、第２の面２１Ｂは、塗布部２１の側面視において、長手方向Ｘに沿って、第１の面２１Ａに向けて滑らかな曲線を描くように緩やかに湾曲している。また第２の面２１Ｂは、幅方向Ｙに沿った断面が、第１実施形態の図３（ｃ）ないし（ｅ）と同様に、直線になっている。したがって第２の面２１Ｂは、長手方向Ｘに沿ってのみ曲面になっている。
【００５４】
以上の構成を有する第４実施形態によれば、第１実施形態と比較して、塗布面である第１の面２１Ａに形成されている窪み部２１Ｃに、化粧料を一層多量に、かつ決まった量だけ保持することができる。しかも、塗布部２１において化粧料を安定的に保持することができ、化粧料の垂れを一層効果的に防止することができる。
【００５５】
図８に示す第５実施形態は、図６（ａ）に示す第３実施形態の変形例である。本実施形態では、先端域２１０が、背面である第２の面２１Ｂ側においてのみ突出して突出部２１１を有している。また、塗布部２１を正面視したとき、塗布面である第１の面２１Ａにおいて、突出部２１１に対応する位置にのみ、小窪み部２１Ｇが形成されている。詳細には、第１の面２１Ａは、塗布部２１の側面視において、長手方向Ｘに沿って平坦になっている（ただし、小窪み部２１Ｇが形成されている部位を除く。）。一方、第２の面２１Ｂは、塗布部２１の側面視において、長手方向Ｘに沿って、第１の面２１Ａに向けて滑らかな曲線を描くように緩やかに湾曲している。塗布部２１の先端域２１０は、背面である第２の面２１Ｂ側において突出して前記の突出部２１１を有している。この突出部２１１の頂部が先端域２１０における最大厚み部となる。
【００５６】
また、塗布部２１の第１の面２１Ａは、幅方向Ｙに沿った断面が、第１実施形態の図３（ｃ）ないし（ｅ）と同様に、直線になっている。ただし、小窪み部２１Ｇが形成されている部位を除く。）。そして第１の面２１Ａは、小窪み部２１Ｇが形成されている部位を除き、長手方向Ｘ及び幅方向Ｙで画成される平面と平行な平坦面になっている。
【００５７】
更に塗布部２１の第２の面２１Ｂは、幅方向Ｙに沿った断面が、第１実施形態の図３（ｃ）ないし（ｅ）と同様に、直線になっている。そして、上述のとおり、第２の面２１Ｂは、長手方向Ｘに沿って、第１の面２１Ａに向けて湾曲しているから、第２の面２１Ｂは、長手方向Ｘに沿ってのみ曲面になっている。
【００５８】
以上の構成を有する第５実施形態によれば、上述した第３実施形態で奏される効果に加えて、小窪み部２１Ｇに化粧料を安定的に保持することができ、化粧料の垂れを一層効果的に防止することができるという効果も奏される。
【００５９】
図９に示す第６実施形態は、先に説明した第１実施形態の変形例である。本実施形態では、第１実施形態と同様に、塗布面である第１の面２１Ａが、塗布部２１の長手方向Ｘに沿って第２の面２１Ｂに向けて湾曲しており、かつ背面である第２の面２１Ｂが、塗布部２１の長手方向Ｘに沿って第１の面２１Ａに向けて湾曲している。更に、塗布部２１の側面視において、該塗布部２１の先端域２１０が、薄肉域２１Ｆに対して、第１の面２１Ａ側に向けて湾曲している。これ以外の構成については、第１実施形態と同様である。本実施形態によれば、先端域２１０が、薄肉域２１Ｆ及び最広幅部２１Ｅに対して、第１の面２１Ａ側に向けて湾曲していることで、塗布面である第１の面２１Ａに、第１実施形態と比較して一層多量の化粧料を保持させることができるという利点がある。
【００６０】
図１０に示す第７実施形態は、図６（ａ）に示す第３実施形態の変形例である。本実施形態は、塗布部２１における先端域２１０の形状が第３実施形態と相違する以外は、第３実施形態と同様の構成を有している。本実施形態においては、先端域２１０における最大厚み部がほぼ先端２１Ｄに位置している。そして先端域２１０は、最大厚み部が位置する部位である先端２１Ｄから薄肉域２１Ｆに向けて厚みが漸次減少している。また、本実施形態においては、先端域２１０の最大厚み部が先端２１Ｄに位置していることで、該先端２１Ｄには、第１の面２１Ａ（この面は平坦面である。）に略直交する方向に延びる稜線Ｒが形成されている。このような構成を有する本実施形態によれば、塗布具を容器のしごき孔に容易に出し入れでき、また、過剰な化粧料が塗布部の先端に液ダマになって付着するのを抑制し、塗布部の中央の平坦部分に適量の化粧料が溜まり易いので、塗布部から化粧液がはみ出ることなく、唇の口角に綺麗に化粧料が塗ることができ、先端部分を用いた化粧直しも容易であるという効果が奏される。
【００６１】
以上本発明をその好ましい実施形態に基づき説明したが、本発明は前記の実施形態に制限されない。例えば図６ないし図１０に示す実施形態においては、塗布部２１が支持軸２２に対して傾斜していたが、これに代えて図５に示す実施形態のように、塗布部２１の延びる方向を、支持軸２２の軸方向と一致させてもよい。
【００６２】
上述した実施形態に関し、本発明は更に以下の口唇化粧料塗布装置を開示する。
＜１＞
化粧料を口唇に塗布するための化粧料塗布用具と、該化粧料を収容するための容器とを備え、該塗布用具が該容器の口部から該容器内に出入自在な口唇化粧料塗布装置であって、
前記塗布用具は、化粧料を塗布するための塗布面及び該塗布面の反対側に位置する背面を有し、かつ扁平体からなる塗布部と、先端に該塗布部を連結した支持軸とを有しており、
前記塗布部を正面視したとき、前記塗布部は、最広幅部を有し、かつ該最広幅部から先端域に向けて漸次狭幅となっており、
前記塗布部は、前記先端域における最大厚み部での厚みが、前記最広幅部の厚みと同等であるか、又はそれよりも小さくなっており、
前記塗布部は、前記先端域と前記最広幅部との間に、該先端域の最大厚み部の厚みよりも小さい薄肉域を有し、
前記最広幅部の幅Ｐに対する、前記先端域における最大厚み部での幅Ｑの比率Ｑ／Ｐが０．１以上０．６以下であり、
前記最広幅部の幅Ｐは、前記支持軸の幅Ｌよりも広くなっており、
前記塗布部は、前記最広幅部から、前記塗布部と前記支持軸との連結部に向けて幅が漸次狭くなっている、口唇化粧料塗布装置。
【００６３】
＜２＞
前記比率Ｑ／Ｐが０．２以上であることが好ましく、０．３以上であることがより好ましく、０．５以下であることが好ましく、０．４以下であることがより好ましい前記＜１＞に記載の口唇化粧料塗布装置。
＜３＞
薄肉域の厚みは、先端域の最大厚み部の厚みに対して、２０％以上９０％以下であることが好ましく、３０％以上７５％以下であることがより好ましく、４０％以上６５％以下であることが更に好ましい前記＜１＞又は＜２＞記載の口唇化粧料塗布装置。
＜４＞
前記先端域は、前記塗布面又は前記背面の少なくとも一方の面から突出した突出部を有し、該突出部の頂部に前記最大厚み部が位置している前記＜１＞ないし＜３＞のいずれか１に記載の口唇化粧料塗布装置。
＜５＞
前記先端域が、前記背面側において突出して前記突出部を有する前記＜４＞に記載の口唇化粧料塗布装置。
＜６＞
前記塗布部の幅方向縦断面視における前記先端域の形状が、角が丸みを帯びた三角形である前記＜５＞に記載の口唇化粧料塗布装置。
＜７＞
前記塗布部を正面視したとき、前記塗布面には、前記突出部に対応する位置に、小窪み部が形成されている前記＜５＞又は＜６＞に記載の口唇化粧料塗布装置。
＜８＞
前記薄肉域において、前記塗布面が、前記塗布部の長手方向に沿って前記背面に向けて凹状に湾曲しており、前記背面が、前記塗布部の長手方向に沿って前記塗布面に向けて凹状に湾曲している前記＜１＞ないし＜７＞のいずれか１に記載の口唇化粧料塗布装置。
＜９＞
前記塗布面が平坦面となっている前記＜１＞ないし＜７＞のいずれか１に記載の口唇化粧料塗布装置。
＜１０＞
前記塗布面は、前記塗布部の長手方向に沿って凹状に湾曲しているとともに幅方向に沿って凹状に湾曲しており、それによって該塗布面の中央部に窪み部が形成されている前記＜１＞ないし＜７＞のいずれか１に記載の口唇化粧料塗布装置。
＜１１＞
前記先端域における前記最大厚み部がほぼ先端に位置しており、
前記先端域は、前記先端から前記薄肉域に向けて厚みが漸次減少しており、
前記先端域の最大厚み部が先端に位置していることで、該先端には、平坦面からなる前記塗布面に略直交する方向に延びる稜線が形成されている前記＜１＞ないし＜１０＞のいずれか１に記載の口唇化粧料塗布装置。
＜１２＞
前記最広幅部から前記塗布部の先端までの距離をＳとし、前記先端域における最大厚み部から前記塗布部の先端までの距離をＲとしたとき、距離Ｓに対する距離Ｒの比率Ｒ／Ｓが０．０３以上０．４以下が好ましく、０．０５以上０．３以下がより好ましく、０．１以上０．２以下が更に好ましい前記＜１＞ないし＜１１＞のいずれか１に記載の口唇化粧料塗布装置。
【００６４】
＜１３＞
前記支持軸の幅Ｌに対する、前記先端域における最大厚み部での幅Ｑの比率Ｑ／Ｌが、０．３以上２以下であることが好ましく、０．４以上１．５以下であることがより好ましく、０．５以上１以下であることが更に好ましい前記＜１＞ないし＜１２＞のいずれか１に記載の口唇化粧料塗布装置。
＜１４＞
前記塗布用具が前記容器内に挿入された状態において、前記塗布部の塗布面が該容器の底部方向を向くように、該塗布部が該支持軸の軸方向に対して傾斜している前記＜１＞ないし＜１３＞のいずれか１に記載の口唇化粧料塗布装置。
＜１５＞
前記塗布部は、その表面に植毛処理が施されている前記＜１＞ないし＜１４＞のいずれか１に記載の口唇化粧料塗布装置。
＜１６＞
前記容器は、その口部又はその近傍にしごき弁を備えており、該しごき弁の略中央部には、前記塗布部及び前記支持軸の通過が自在なしごき孔が形成されており、前記最広幅部の幅Ｐが、前記しごき孔の直径ｍよりも大きくなされている前記＜１＞ないし＜１５＞のいずれか１に記載の口唇化粧料塗布装置。
＜１７＞
前記しごき孔の直径ｍに対する、前記最広幅部の幅Ｐの比率Ｐ／ｍが１以上３以下であることが好ましく、１．２以上２．５以下であることがより好ましく、１．４以上２以下であることが更に好ましい前記＜１＞ないし＜１６＞のいずれか１に記載の口唇化粧料塗布装置。
＜１８＞
前記しごき孔の直径ｍに対する、前記先端域における最大厚み部での幅Ｑの比率Ｑ／ｍが、０．２以上１．５以下が好ましく、０．３以上１．２以下がより好ましく、０．４以上０．９以下が更に好ましい前記＜１＞ないし＜１７＞のいずれか１に記載の口唇化粧料塗布装置。
＜１９＞
前記しごき弁に、前記しごき孔に通じる複数のスリットが放射状に形成されている前記＜１＞ないし＜１８＞のいずれか１に記載の口唇化粧料塗布装置。
＜２０＞
前記支持軸の幅Ｌ対する前記最広幅部の幅Ｐの比率であるＰ／Ｌが、１以上３．５以下であることが好ましく、１．４以上３以下であることがより好ましく、１．７以上２．４以下であることが更に好ましい前記＜１＞ないし＜１９＞のいずれか１に記載の口唇化粧料塗布装置。  
【符号の説明】
【００６５】
１  口唇化粧料塗布装置
２  塗布用具
２１塗布部
２１Ａ  第１の面
２１Ｂ  第２の面
２１Ｃ  窪み部
２１Ｄ  先端
２１Ｅ  最広幅部
２１Ｆ  薄肉域
２１Ｇ  小窪み部
２２  支持軸
２３  蓋体
２１０  先端域
２１０Ａ  最大厚み部
２１１  突出部
３  容器
３１  しごき弁
３１Ａ  しごき孔
４  化粧料
【図１】
2015208636.tif 000003
【図２】
2015208636.tif 000004
【図３】
2015208636.tif 000005
【図４】
2015208636.tif 000006
【図５】
2015208636.tif 000007
【図６】
2015208636.tif 000008
【図７】
2015208636.tif 000009
【図８】
2015208636.tif 000010
【図９】
2015208636.tif 000011
【図１０】
2015208636.tif 000012